(57)【要約】【課題】操作性を向上させた操出容器を提供すること。【解決手段】有底筒状の容器本体２と、内容物Ｘを保持し、容器本体２内に昇降可能に収容された保持体３と、容器本体２内に収容され、容器本体２の上端開口２Ａを開閉可能に閉塞する帯状部材４と、帯状部材４から容器本体２の外側へ突設され、容器本体２に対して往復移動可能な操作体５と、を備え、保持体３には、操作体５及び帯状部材４の少なくとも一方が係止され、操作体５の容器本体２に対する往復移動方向の一方向への移動に連動して、帯状部材４が容器本体２内で移動して容器本体２の上端開口２Ａを開放すると共に、保持体３が、容器本体２に対して上昇する。【選択図】図１
2020018531.tif 000002
【特許請求の範囲】
【請求項１】
有底筒状の容器本体と、
内容物を保持し、前記容器本体内に昇降可能に収容された保持体と、
前記容器本体内に収容され、前記容器本体の上端開口を開閉可能に閉塞する帯状部材と、
前記帯状部材から前記容器本体の外側へ突設され、前記容器本体に対して往復移動可能な操作体と、
を備え、
前記保持体には、前記操作体及び前記帯状部材の少なくとも一方が係止され、
前記操作体の前記容器本体に対する往復移動方向の一方向への移動に連動して、前記帯状部材が前記容器本体内で移動して前記容器本体の前記上端開口を開放すると共に、前記保持体が、前記容器本体に対して上昇することを特徴とする操出容器。
【請求項２】
前記操作体が、前記容器本体に対して昇降可能であり、
前記保持体が、前記操作体の前記容器本体に対する上昇に連動して、前記容器本体に対して上昇することを特徴とする請求項１に記載の操出容器。
【請求項３】
前記保持体が、前記内容物を収容する筒状の中皿と、前記中皿を昇降可能に収容する筒状のスリーブと、を有し、
前記操作体及び前記帯状部材の前記少なくとも一方が、前記中皿及び前記スリーブに係止しており、
前記スリーブ及び前記容器本体が、前記操作体が前記容器本体に対して係止解除位置まで移動したときに前記スリーブと前記操作体との係止状態を解除させる係止解除機構を有することを特徴とする請求項１または２に記載の操出容器。
【発明の詳細な説明】
【技術分野】
【０００１】
本発明は、操出容器に関する。
【背景技術】
【０００２】
有底筒状の容器本体と、容器本体内に収容され、棒状の内容物が収容されて容器本体に対して昇降可能な保持体と、保持体に接続され、保持体を容器本体に対して昇降させる操作体と、容器本体の上端開口を閉塞する有頂筒状の蓋体と、を備える操出容器が提案されている（例えば、特許文献１参照）。このような操出容器では、蓋体を取り外した後に、操作体を上方へスライドさせて容器本体に対して保持体を上昇させることによって、内容物を容器本体の上端開口から突出させる。
【先行技術文献】
【特許文献】
【０００３】
【特許文献１】特開２００１−１８６９２１号公報
【発明の概要】
【発明が解決しようとする課題】
【０００４】
しかしながら、上記従来の操出容器においても、容器本体の上端開口の開放動作と内容物の操出動作とを別個に行う必要があるため、操出容器の操作性を向上させることに対する要求があった。
【０００５】
そこで、本発明は、操作性を向上させた操出容器を提供することを目的とする。
【課題を解決するための手段】
【０００６】
本発明は、上記課題を解決するために以下のような手段を採用した。すなわち、本発明の操出容器は、有底筒状の容器本体と、内容物を保持し、前記容器本体内に昇降可能に収容された保持体と、前記容器本体内に収容され、前記容器本体の上端開口を開閉可能に閉塞する帯状部材と、前記帯状部材から前記容器本体の外側へ突設され、前記容器本体に対して往復移動可能な操作体と、を備え、前記保持体には、前記操作体及び前記帯状部材の少なくとも一方が係止され、前記操作体の前記容器本体に対する往復移動方向の一方向への移動に連動して、前記帯状部材が前記容器本体内で移動して前記容器本体の前記上端開口を開放すると共に、前記保持体が、前記容器本体に対して上昇することを特徴とする。
【０００７】
この発明では、容器本体に対して操作体を往復移動方向の一方へ移動させることに伴って、帯状部材が容器本体内で移動して容器本体の上端開口が開放されると共に、保持体が容器本体内で上昇する。これにより、保持体内に収容されている内容物が容器本体の上端開口から繰り出される。
すなわち、操作体を容器本体に対する往復移動方向の一方へ移動させると、操作体が設けられている帯状部材も、容器本体内で移動する。これにより、容器本体の上端開口は、操作体の容器本体に対する往復移動方向の一方へ移動に連動して開放される。また、操作体を容器本体に対する往復移動方向の一方へ移動させると、操作体または帯状部材が係止している保持体は、容器本体に対して上昇する。これにより、保持体に収容されている内容物は、操作体の容器本体に対する往復移動方向の一方へ移動に連動して、容器本体の開放された上端開口から繰り出される。その後、操作体を容器本体に対する往復移動方向の他方へ移動させると、保持体が容器本体に対して下降して内容物が容器本体内に収容されると共に、帯状部材が容器本体内で先程とは逆方向に移動して容器本体の上端開口を閉塞する。
また、帯状部材が上端開口を開閉する蓋体としての機能を有しているので、蓋体を別途設ける必要がなくなり、操出容器全体の構成を簡素化できる。
このように、操作体を容器本体に対して往復移動方向の一方へ移動させるだけで、容器本体の上端開口の開放動作と内容物の操出動作とを一貫して行うことができるので、操出容器の操作性が向上する。
【０００８】
また、本発明の操出容器では、前記操作体が、前記容器本体に対して昇降可能であり、前記保持体が、前記操作体の前記容器本体に対する上昇に連動して、前記容器本体に対して上昇してもよい。
この発明では、操作体を容器本体に対して上昇させると、この上昇に連動して、帯状部材が容器本体内で移動して容器本体の上端開口を開放すると共に、保持体が容器本体内で上昇して内容物を容器本体の上端開口から繰り出す。
【０００９】
また、本発明の操出容器では、前記保持体が、前記内容物を収容する筒状の中皿と、前記中皿を昇降可能に収容する筒状のスリーブと、を有し、前記操作体及び前記帯状部材の前記少なくとも一方が、前記中皿及び前記スリーブに係止しており、前記スリーブ及び前記容器本体が、前記操作体が前記容器本体に対して係止解除位置まで移動したときに前記スリーブと前記操作体との係止状態を解除させる係止解除機構を有してもよい。
この発明では、操作体を容器本体に対して往復移動方向の一方へ移動させることに連動してスリーブ及び中皿を容器本体に対して一体的に上昇させ、操作体が係止解除位置まで移動した後に、操作体の移動に連動して中皿をスリーブに対して上昇させる。これにより、上端開口から繰り出される前の内容物をスリーブによって保護できると共に、内容物の使用時にスリーブに対する内容物の突出量を調整できる。そのため、使用中に内容物が折れたり崩れたりすることを抑制でき、折れたり崩れやすい柔らかい材料を内容物として使用する際に特に好適である。
【発明の効果】
【００１０】
この発明にかかる操出容器によれば、操作体を容器本体に対して往復移動方向の一方に移動させることによって、帯状部材が容器本体内で移動して容器本体の上端開口が開放されると共に、保持体が容器本体内で上昇するので、容器本体の上端開口の開放動作と内容物の操出動作とを一連の動作で行うことができ、操出容器の操作性が向上する。
【図面の簡単な説明】
【００１１】
【図１】本発明の一実施形態にかかる操出容器を示す軸方向断面図である。
【図２】（ａ）が第１容器半体を示す側面図、（ｂ）が第２容器半体を示す側面図である。
【図３】図１の中皿を示す軸方向部分断面図である。
【図４】図１のスリーブを示す側面図である。
【図５】（ａ）が図１の帯状部材及び操作体を示す側面図、（ｂ）が帯状部材及び操作体を示す軸方向断面図である。
【図６】図１の操出容器のスリーブ、中皿、差込突部及び係止解除突部の位置関係を示す側面図である。
【図７】図１の操出容器の使用方法を説明する軸方向断面図である。
【図８】図７の操出容器のスリーブ、中皿、差込突部及び係止解除突部の位置関係を示す側面図である。
【図９】同じく、図１の操出容器の使用方法を説明する軸方向断面図である。
【図１０】図９の操出容器のスリーブ、中皿、差込突部及び係止解除突部の位置関係を示す側面図である。
【図１１】本発明を適用可能な他の操出容器を示す概略図である。
【図１２】本発明を適用可能な他の操出容器の保持体、帯状部材及び操作体の取付構造を示す概略図である。
【発明を実施するための形態】
【００１２】
以下、本発明による操出容器の一実施形態を、図面に基づいて説明する。なお、以下の説明に用いる各図面では、各部材を認識可能とするために縮尺を適宜変更している場合がある。
本実施形態にかかる操出容器１は、図１に示すように、有底矩形筒状の容器本体２と、内容物Ｘが収容され、容器本体２内に昇降可能に収容された円筒状の保持体３と、容器本体２内に収容され、容器本体２の上端開口２Ａを開閉する帯状部材４と、帯状部材４から容器本体２の外側へ突設され、容器本体２に対して昇降可能な操作体５と、を備える。ここで、内容物Ｘは、例えば棒状の口紅などが挙げられるが、口紅以外の他の内容物であってもよい。また、本実施形態にかかる操出容器１は、特に、口紅の中でも油分を多く含む柔らかい口紅を内容物として好適に使用できる。
【００１３】
これら容器本体２及び保持体３は、それらの中心軸線が共通軸上に位置する状態で配設されている。以下、この中心軸線を容器軸Ｏと称し、図１に示すように、容器軸Ｏに沿って容器本体２の底壁部（後述する第１及び第２底壁部２２、３２）から天壁部（後述する第１及び第２天壁部２３、３３）に向かう方向を上方、その逆方向を下方とする。また、容器軸Ｏから見た平面視で容器軸Ｏに交差する方向を径方向、容器軸Ｏ回りで周回する方向を周方向とする。さらに、容器本体２において平面視で矩形状をなす天壁部のうち一辺が延在する方向を左右方向、平面視でこの一辺に直交する方向を前後方向と称する。
【００１４】
容器本体２は、図１及び図２に示すように、例えばポリプロピレンで形成されており、上下方向に長い矩形箱状の第１容器半体１１及び第２容器半体１２を組み合わせることによって構成されている。これら第１及び第２容器半体１１、１２は、左右方向に配列されている。
第１容器半体１１は、図１及び図２（ａ）に示すように、側面視で矩形状の第１側壁部２１と、第１側壁部２１の周縁から左方向に向けて連設された矩形状の第１底壁部２２、矩形状の第１天壁部２３、矩形状の第１前壁部２４及び矩形状の第１後壁部２５と、を有する。
【００１５】
第１側壁部２１には、側面視で環状の第１案内壁部２６が左方向に向けて突設されている。第１案内壁部２６は、第１側壁部２１の周縁よりも第１容器半体１１の内側において第１側壁部２１の外周縁にほぼ沿って延在しており、第１案内壁部２６よりも内側に保持体３及び内容物Ｘを収容する収容空間Ｓを画成する。第１案内壁部２６のうち第１底壁部２２に沿って前後方向に延在する部分は、側面視で上方に向けて開口するＵ字状をなすように湾曲している。また、第１案内壁部２６のうち第１天壁部２３に沿って前後方向に延在する部分の前端部は、前方に向かうに従って下方に向かうように湾曲している。さらに、第１案内壁部２６は、第１底壁部２２、第１天壁部２３、第１前壁部２４及び第１後壁部２５よりも左方向に突出している。
【００１６】
第１案内壁部２６のうち第１天壁部２３に沿って延在する部分には、保持体３及び保持体３内に収容されている内容物Ｘが上端開口２Ａを通して突出することを可能とし、右方向に窪む第１通過凹部２６Ａが形成されており、第１案内壁部２６のうち第１後壁部２５に沿って延在する部分の上下方向の中間部には、帯状部材４の後述する差込突部４Ａが保持体３に係止すると共に容器本体２に対して昇降することを可能とする第１昇降凹部２６Ｂが形成されている。
【００１７】
また、第１側壁部２１には、左方向に突出し、第１案内壁部２６との間に帯状部材４の容器本体２内での移動を案内する第１案内溝部１１Ａを画成する第１案内突部２１Ａが設けられている。この第１案内突部２１Ａは、第１底壁部２２、第１天壁部２３、第１前壁部２４及び第１後壁部２５に対して左方向に突出していない。
第１側壁部２１の上下方向の中間部分には、円柱状の係止解除突部（係止解除機構）２１Ｂが左方向に向けて突設されている。係止解除突部２１Ｂは、第１底壁部２２、第１天壁部２３、第１前壁部２４及び第１後壁部２５に対して左方向に突出していない。また、第１側壁部２１の下側部分には、円柱状の第１取付突部２１Ｃが左方向に向けて突設されている。この第１取付突部２１Ｃは、第１底壁部２２、第１天壁部２３、第１前壁部２４及び第１後壁部２５よりも左方向に突出しており、第１案内壁部２６よりも左方向に突出している。
【００１８】
第１天壁部２３には、左方向に開いた平面視で半円状の第１開口部２３Ａが画成されている。
第１後壁部２５の上下方向の中間部には、第１昇降凹部２６Ｂと同様に、帯状部材４の後述する差込突部４Ａが保持体３に係止すると共に容器本体２に対して昇降することを可能とする第１案内凹部２５Ａが形成されている。また、第１後壁部２５の上端部には、第１案内壁部２６に連なり、操作体５の上昇を規制する第１規制壁部２５Ｂが前方に向けて連設されている。
【００１９】
第２容器半体１２は、第１容器半体１１と同様に、図２（ｂ）に示すように、第２側壁部３１と、第２側壁部３１の周縁から右方向に向けて連設された第２底壁部３２、第２天壁部３３、第２前壁部３４及び第２後壁部３５と、を有する。
第２側壁部３１には、第１案内壁部２６と同様に、側面視で環状の第２案内壁部３６が右方向に向けて突設されている。第２案内壁部３６は、第２底壁部３２、第２天壁部３３、第２前壁部３４及び第２後壁部３５に対して右方向に突出していないが、第１及び第２容器半体１１、１２を組み合わせた状態において、第１案内壁部２６の先端に近接または当接する。なお、第２案内壁部３６には、第１案内壁部２６と同様に、第２通過凹部３６Ａ及び第２昇降凹部３６Ｂが形成されている。そして、第２案内壁部３６は、第１案内突部２１Ａと同様に第２側壁部３１に形成された第２案内突部３１Ａと共に第２案内溝部１２Ａを画成する。第２案内溝部１２Ａは、第１案内溝部１１Ａと協働して帯状部材４を案内する案内溝部２Ｂを構成する。
【００２０】
第２側壁部３１の下側部分には、円筒状の第２取付突部３１Ｂが右方向に向けて突設されている。第２取付突部３１Ｂ内には、第１取付突部２１Ｃが嵌合される。
第２天壁部３３には、右方向に向けて開口する平面視で半円状の第２開口部３３Ａが画成されており、第２天壁部３３は、第１天壁部２３と共に平面視で円状の上端開口２Ａを画成する。
第２後壁部３５には、第１案内凹部２５Ａと同様に、第２案内凹部３５Ａ及び第２規制壁部３５Ｂが形成されている。
【００２１】
保持体３は、図１に示すように、容器本体２の収容空間Ｓに収容されており、内容物Ｘが収容される円筒状の中皿４１と、中皿４１を昇降可能に収容する円筒状のスリーブ４２と、を有する。これら中皿４１及びスリーブ４２は、容器軸Ｏと同軸上に配設されている。
中皿４１は、例えばポリエチレン、ポリプロピレン、アクリロニトリル・ブタジエン・スチレンなどで形成されており、中皿４１の下端は、スリーブ４２の下端よりも若干下方に位置し、中皿４１の上端は、スリーブ４２の上下方向の中間部に位置している。中皿４１は、図３に示すように、円筒状の中皿本体５１と、中皿本体５１の上下方向の中間部から径方向内側に突設された平面視で円環状の環状フランジ５２と、を有する。これら中皿本体５１及び環状フランジ５２は、容器軸Ｏと同軸に配設されている。
中皿本体５１のうち環状フランジ５２よりも下側の部分には、径方向に貫通する円柱状の差込孔部５１Ａが形成されている。また、中皿本体５１の外周面には、シリコーンが塗布されており、スリーブ４２との摩擦抵抗を低減している。
環状フランジ５２上には、内容物Ｘの下端が当接している。
【００２２】
スリーブ４２は、図１に示すように、例えばアルミニウムで形成されており、スリーブ４２の下端は、容器本体２に形成された第１及び第２取付突部２１Ｃ、３１Ｂよりも上方に位置し、スリーブ４２の上端は、容器本体２の第１及び第２規制壁部２５Ｂ、３５Ｂの上端よりも若干上方に位置している。
スリーブ４２の外径は、上端開口２Ａの内径よりも小径とされており、スリーブ４２の内径は、中皿４１の外径と同等となっている。そのため、スリーブ４２の内周面には、中皿４１の外周面が摺接している。また、スリーブ４２の上端面は、図１及び図４に示すように、容器軸Ｏに対して傾斜している。
【００２３】
スリーブ４２の下側部分には、図１及び図４（ａ）に示すように、側面視で「く」字状をなし、第１容器半体１１の係止解除突部２１Ｂが案内される係止解除スリット部（係止解除機構）４５が形成されている。係止解除スリット部４５は、側面視で周方向の一方向に向かうに従って上方に向かうように傾斜する傾斜部４５Ａと、傾斜部４５Ａの上端部から上方に向けて延在する第１上下方向延在部４５Ｂと、を有する。係止解除突部２１Ｂは、図１及び図６（ａ）に示すように、第１上下方向延在部４５Ｂの上端部に受けられている。
【００２４】
また、スリーブ４２の下側部分のうち係止解除スリット部４５に対して周方向でずらした位置（例えば容器軸Ｏ回りに９０°ずらした位置）には、図４（ｂ）に示すように、側面視でＬ字状をなし、径方向に貫通する中皿昇降スリット部４６が形成されている。中皿昇降スリット部４６は、周方向に延在する周方向延在部４６Ａと、周方向延在部４６Ａの周方向の一端部から上方に向けて延在する第２上下方向延在部４６Ｂと、を有する。
なお、第１上下方向延在部４５Ｂの下端部からの傾斜部４５Ａの周方向における延在方向は、第２上下方向延在部４６Ｂの下端部からの周方向延在部４６Ａの周方向における延在方向と反対方向となっている。また、中皿昇降スリット部４６の上下方向の長さは、係止解除スリット部４５の上下方向の長さと同等となっている。
【００２５】
帯状部材４は、図１に示すように、例えばポリエチレンや軟質のポリプロピレン、エラストマ、ＰＥＴフィルムのような柔軟で湾曲可能な材料で形成されており、左右方向で見て後方に開いたＣ字状をなすように容器本体２に画成された案内溝部２Ｂ内に収容されている。また、帯状部材４は、図５に示すように、展開した状態において、細長い帯状をなしている。
帯状部材４の一端部には、図１及び図５に示すように、中皿４１の差込孔部５１Ａ及びスリーブ４２の中皿昇降スリット部４６に差し込まれる円柱状の差込突部４Ａが径方向内側に向けて突設されている。差込突部４Ａは、図６に示すように、中皿昇降スリット部４６の周方向延在部４６Ａの先端部に受けられており、スリーブ４２のうち周方向延在部４６Ａの開口縁部に対して上下方向で係止している。
また、帯状部材４の一端部には、図５に示すように、操作体５を装着するための矩形筒状の第１装着突部４Ｂが径方向外側に向けて突設されている。
【００２６】
操作体５は、例えばポリプロピレンで形成されており、容器本体２の外側に配設されている。また、操作体５の内面には、帯状部材４の第１装着突部４Ｂの内側に嵌合される矩形柱状の第２装着突部５Ａと、第２装着突部５Ａを外側から囲む矩形筒状の囲繞筒部５Ｂと、が径方向内側に向けて突設されている。囲繞筒部５Ｂの左右方向の幅は、第１及び第２容器半体１１、１２によって形成される案内溝部２Ｂの左右方向の幅よりも若干小さくされている。また、囲繞筒部５Ｂの左右両側面の下端部には、左右方向に突出して第１及び第２後壁部２５、３５に対して操作体５を前方から係止させるための係止突部５Ｃが形成されている。
【００２７】
次に、以上のような構成の操出容器１の使用方法を説明する。
まず、操作体５を案内溝部２Ｂに沿って容器本体２に対して上方に摺動させる。操作体５を上昇させていくと、操作体５に連結されている帯状部材４は、操作体５によって引っ張られて案内溝部２Ｂに沿って移動し、帯状部材４の他端部は、容器本体２の上端開口２Ａを開放する。
【００２８】
また、操作体５を上昇させていくと、帯状部材４の差込突部４Ａと中皿４１の差込孔部５１Ａとが上下方向で係止していると共に、差込突部４Ａとスリーブ４２の中皿昇降スリット部４６とが上下方向で係止しているので、中皿４１及びスリーブ４２が一体的に容器本体２に対して上昇する。ここで、容器本体２の係止解除突部２１Ｂは、スリーブ４２の係止解除スリット部４５のうち第１上下方向延在部４５Ｂに沿って案内される。
【００２９】
操作体５をさらに上昇させて操作体５が案内溝部２Ｂの上下方向の中間にある係止解除位置に達すると、係止解除突部２１Ｂが係止解除スリット部４５のうち第１上下方向延在部４５Ｂの下端に達した後に、図７及び図８（ａ）に示すように、第１上下方向延在部４５Ｂの下端に連なる傾斜部４５Ａに沿って案内される。これにより、スリーブ４２は、中皿４１と共に容器本体２に対して容器軸Ｏ回りに回転する。このとき、帯状部材４の差込突部４Ａは、図８（ｂ）に示すように、中皿昇降スリット部４６の周方向延在部４６Ａに沿って案内される。そのため、差込突部４Ａとスリーブ４２のうち中皿昇降スリット部４６の開口縁部との係止状態は、解除される。また、差込突部４Ａが係止解除スリット部４５のうち傾斜部４５Ａの下端部に達しているので、スリーブ４２の容器本体２に対する上昇が規制される。なお、この状態で、スリーブ４２の上端部は、容器本体２の上端開口２Ａから上方に突出している。
【００３０】
この状態で操作体５をさらに上昇させていくと、差込突部４Ａが差込孔部５１Ａに係止しているので、図９及び図１０に示すように、中皿４１は、操作体５と共に容器本体２及びスリーブ４２に対して上昇する。これにより、中皿４１に収容されている内容物Ｘは、スリーブ４２の上端縁から突出する。その後、操作体５が容器本体２の第１及び第２規制壁部２５Ｂ、３５Ｂに当接することにより、操作体５及び中皿４１の容器本体２及びスリーブ４２に対するさらなる上昇が規制される。
その後、内容物Ｘを適宜使用する。このとき、操作体５の下降は、操作体５と容器本体２との間の摩擦抵抗により規制される。
【００３１】
内容物Ｘを適宜使用した後、操作体５を容器本体２に対して下降させる。操作体５を下降させると、帯状部材４の差込突部４Ａがスリーブ４２の中皿昇降スリット部４６のうち第２上下方向延在部４６Ｂに沿って案内されるので、中皿４１は、操作体５に連動して容器本体２及びスリーブ４２に対して下降する。その後、操作体５をさらに下降させていくと、帯状部材４の差込突部４Ａが中皿４１の差込孔部５１Ａ及びスリーブ４２の中皿昇降スリット部４６と係止するので、中皿４１及びスリーブ４２は、操作体５に連動して容器本体２に対して下降する。また、帯状部材４は、操作体５に連動して案内溝部２Ｂに沿って押し込まれ、容器本体２の上端開口２Ａを閉じる。
ここで、案内溝部２Ｂが角部分で湾曲しているので、帯状部材４が案内溝部２Ｂに沿って滑らかに移動する。
【００３２】
以上、本実施形態にかかる操出容器１によれば、操作体５を容器本体２に対して上昇させることにより、帯状部材４が容器本体２内で移動して容器本体２の上端開口２Ａを開放する共に保持体３が容器本体２内で上昇するので、容器本体２の上端開口２Ａの開放動作と内容物Ｘの操出動作とを一貫して行うことができ、操出容器１の操作性が向上する。
また、帯状部材４が容器本体２の蓋体としての機能を有しているので、帯状部材４の移動に連動して容器本体２の上端開口２Ａを開閉する蓋体を別途設ける必要がなくなり、操出容器１全体の構成を簡素化できる。
さらに、中皿４１及びスリーブ４２を一体的に容器本体２に対して上昇させた後に中皿４１をスリーブ４２に対して上昇させており、スリーブ４２に対する内容物Ｘの突出量を調整できるので、内容物Ｘが柔らかい材料で形成されている場合であっても、内容物Ｘの使用中に内容物Ｘが折れたり崩れたりすることを抑制できる。
【００３３】
なお、本発明は上記実施形態に限定されるものではなく、本発明の趣旨を逸脱しない範囲において種々の変更を加えることができる。
例えば、操出容器は、操作体を容器本体の後壁部に沿って上昇させることによって、帯状部材が容器本体の上端開口を開放すると共に、保持体が容器本体内で上昇するように構成されているが、操作体を容器本体の前壁部に沿って下降させることによって、帯状部材が容器本体の上端開口を開放すると共に、保持体が容器本体内で上昇するように構成されてもよい。この場合、例えば、図１１（ａ）に示すように、帯状部材４’の一端部に保持体３’を係止させると共に、帯状部材４’の一端部と他端部との間の中間部分であって容器本体２’の前壁部に沿って延在する部分に操作体５’を設けることにより、上述のように動作する操出容器１’を構成することができる。同様に、操出容器は、操作体を容器本体の底壁部に沿って後方へ移動させることによって、帯状部材が容器本体の上端開口を開放すると共に、保持体が容器本体内で上昇するように構成されてもよい。この場合、例えば、図１１（ｂ）に示すように、帯状部材４”の一端部に保持体３”を係止させると共に、帯状部材４”の一端部と他端部との間の中間部分であって容器本体２”の底壁部に沿って延在する部分に操作体５”を設けることにより、上述のように動作する操出容器１”を構成することができる。
【００３４】
また、操出容器は、操作体を帯状部材に取り付け、帯状部材の差込突部を中皿の差込孔部に差し込むことによって操作体、帯状部材及び中皿が容器本体に対して一体的に昇降するように構成されているが、他の構造を用いて一体的に昇降するように構成されてもよい。例えば図１２に示す操出容器６０では、中皿６１が差込突部６１Ａを有し、帯状部材６２には差込突部６１Ａが挿通される差込孔部６２Ａが形成され、操作体６３には差込突部６１Ａが差し込まれる係止凹部６３Ａが形成されている。ここで、帯状部材６２には、操作体６３を装着するための第１装着突部４Ｂが設けられておらず、操作体６３には、第２装着突部５Ａが設けられていない。
【００３５】
同様に、帯状部材は、中皿及びスリーブに係止する差込突部を有しているが、操作体が差込突部を有していてもよい。また、帯状部材は、保持体に係止されているが、操作体が保持体に係止されてもよく、帯状部材及び操作体双方が保持体に係止されてもよい。
保持体は、中皿及びスリーブを有しているが、内容物を収容する中皿のみを有してもよい。また、保持体は、中皿及びスリーブが一体となって容器本体に対して上昇した後に中皿がスリーブ及び容器本体に対して上昇するように構成されているが、中皿及びスリーブが常に一体となって上昇するように構成されてもよい。すなわち、操出容器には、係止解除機構が設けられていなくてもよい。なお、係止解除機構は、容器本体に形成された係止解除突部とスリーブに形成された係止解除スリット部とによって構成されているが、他の機構によって構成されてもよい。
操作体は、容器本体に対してスライド移動することによって昇降しているが、他の機構によって容器本体に対して昇降してもよい。
帯状部材は、一端部が容器本体の上端開口を開閉しているが、帯状部材に上端開口の開放中に平面視で上端開口と位置合わせされてスリーブ及び内容物を通過させるための通過孔を形成し、帯状部材の一端部以外の部分によって容器本体の上端開口を開閉してもよい。
操作体及び帯状部材は、別体として形成されているが、一体的に形成されてもよい。
各構成部材の説明において、「矩形筒状」、「円筒状」などと記載しているが、楕円状や、三角形状、矩形状のような他の多角形状など、適宜他の形状であってもよい。
【産業上の利用可能性】
【００３６】
この発明によれば、操作性を向上させた操出容器に関して、産業上の利用可能性が認められる。
【符号の説明】
【００３７】
１，１’，１”，６０  操出容器、２，２’，２”  容器本体、２Ａ  上端開口、３，３’，３”  保持体、４，４’，４”，６２  帯状部材、５，５’，５”，６３  操作体、２１Ｂ  係止解除突部（係止解除機構）、４１，６１  中皿、４２  スリーブ、４５  係止解除スリット部（係止解除機構）
【図１】
2020018531.tif 000003
【図２】
2020018531.tif 000004
【図３】
2020018531.tif 000005
【図４】
2020018531.tif 000006
【図５】
2020018531.tif 000007
【図６】
2020018531.tif 000008
【図７】
2020018531.tif 000009
【図８】
2020018531.tif 000010
【図９】
2020018531.tif 000011
【図１０】
2020018531.tif 000012
【図１１】
2020018531.tif 000013
【図１２】
2020018531.tif 000014